(57)【要約】  【構成】補聴器システムは第１（１）および第２（１１）の補聴器を含み，それぞれが上記第１および第２の補聴器間で短距離無線通信（２０）を確立するリンク手段を有している。少なくとも上記第１の補聴器は上記第２の補聴器への上記リンクがアクティブであるかどうかをモニタする手段および上記リンクの状態または上記第２の補聴器の状態に基づいてアラートを発生する手段を備えている。上記アラートは話し言葉のメッセージでも，視覚的インジケータでも，外部ユニット（３０）へ送信されるメッセージでもよい。この発明はさらに第１の補聴器においてアラームを発生する方法を提供する。
2013509012.tif 000002
【特許請求の範囲】
【請求項１】
第１の補聴器および外部装置を含み，各機器が上記第１の補聴器および上記外部装置の間で短距離無線接続を確立するリンク手段を有している補聴器システムにおいて，
少なくとも上記第１の補聴器が，上記外部装置とのリンクがアクティブであるかどうかをモニタする手段，および上記リンクの状態または上記外部装置の状態に基づいて警告を発生する手段を有している，
補聴器システム。
【請求項２】
上記外部装置への上記リンクがアクティブであるかどうかをモニタする手段が，
上記リンク上の通信を検出する手段，
通信が始まったときからの経過クロック・サイクルをカウントする第１のタイマであって，第１の所定の時間間隔に第１のトリップ点を有する第１のタイマ，
アクティブな通信が無くなったときからの経過クロック・サイクルをカウントするウォッチドッグ・タイマであって，第２の所定の時間間隔に第２のトリップ点を有するウォッチドッグ・タイマ，および
上記第１のタイマおよび後続の上記ウォッチドッグの両方の条件が満たされた場合に警告を発生するアラーム・ロジックを備えている，
請求項１に記載のシステム。
【請求項３】
上記外部装置が自己テストを実行する手段，および上記自己テストの結果について上記第１の補聴器へ向けて上記リンク上にメッセージを送信する手段を備えている，
請求項１に記載のシステム。
【請求項４】
上記警告手段が可聴メッセージまたはトーンを発生するように構成されている，請求項１に記載のシステム。
【請求項５】
上記警告手段が視覚的インジケータを備えている，請求項１に記載のシステム。
【請求項６】
上記外部装置が第２の補聴器である，請求項１に記載のシステム。
【請求項７】
上記外部装置がリモート・コントロールである，請求項１に記載のシステム。
【請求項８】
第１の補聴器においてアラームを発生する方法であって，
上記第１の補聴器と外部装置との間に短距離無線接続のためのリンクを確立し，
上記外部装置への上記リンクがアクティブであるかどうかをモニタリングし，
上記リンクの状態または上記外部装置の状態に基づいてアラームを発生する，
方法。
【請求項９】
上記リンクのモニタリングは，
上記リンク上に通信があるかどうかを検出し，
通信が始まったときに第１のタイマをスタートし，かつ上記第１のタイマが第１の所定時間間隔に達したときにトリップし，
上記通信が止んだ場合にウォッチドッグ・タイマをスタートし，かつそれが第２の所定の時間間隔に達したときにトリップし，
上記第１のタイマおよび後続の上記ウォッチドッグ・タイマの両方の条件が満たされた場合にアラームを発生することを含む，
請求項８に記載の方法。
【請求項１０】
上記外部装置において自己テストを実行し，上記自己テストの結果について上記第１の補聴器に向けて上記リンク上にメッセージを送信する，
請求項８に記載の方法。
【請求項１１】
上記外部装置が第２の補聴器である，請求項８に記載の方法。
【請求項１２】
上記アラームが，話し言葉のメッセージ，視覚的インジケータ，または外部ユニットへ送信されるメッセージである，請求項８に記載の方法。
【請求項１３】
上記外部装置がリモート・コントロールである，請求項８に記載の方法。
【発明の詳細な説明】
【技術分野】
【０００１】
この発明は補聴器に関する。より詳細には，この発明は，データを送信しかつ受信する無線リンクを備える補聴器に関する。さらに詳細には，この発明は，両耳システム，すなわち，両耳を補助する一対の補聴器を含むシステムに関する。この発明はさらに，補聴器の動作をモニタリングする方法に関する。
【０００２】
ここで補聴器とは難聴を補助（手助け）する電子機器として理解されるものであり，音響入力信号を受信して上記入力信号を電気信号に変換する入力トランスデューサ，ユーザの要望（ニーズ）にしたがって上記信号を増幅する信号処理ユニット，および上記電気信号を音響出力信号に変換する出力トランスデューサを含む。補聴器は，たとえば耳内型（In-The-Ear）（ＩＴＥ），完全耳内型（Completely-In-the-Canal）（ＣＩＣ），耳掛け型（Behind-The-Ear）（ＢＴＥ）またはこれらのハイブリッド型（hybrids thereof）のいずれであってもよい。
【背景技術】
【０００３】
独国特許公開第１０２００７０３９４５５号は，一対の補聴器のそれぞれが磁場センサおよび２つの補聴器間の無線接続を含む補聴器システムを示している。一方の補聴器中の磁場センサが増加した磁場を検出し，反対側の補聴器が同じ磁場を検出していない場合，このことは電話からの磁場に起因すると解釈され，それにしたがって両補聴器は調整される。両方の補聴器が同じ強さの磁場を検出した場合，これは両補聴器が補聴器充電器内に置かれていることに起因すると解釈され，両補聴器は自動的に停止状態となる。
【０００４】
同様に，独国特許公開第１０２００７０４６４３７号は互い無線接続される２つの補聴器を備える補聴器システムを記載する。上記２つの補聴器が互いに近接して保管ボックス内に配置された場合，上記無線接続の電界強度（the field strength）は距離の減少に起因して増加することになり，両補聴器はパワーダウンするかまたはスリープ・モードに入ることになる。
【０００５】
米国特許公開第２００５０２３８１９０号は近接センサを備える補聴器を記載する。上記近接センサは手が補聴器の近接範囲にあるどうか（whether a hand is in proximity of the hearing aid）を検出して，上記近接センサからの信号に基づいて，上記補聴器はプログラムを変更するまたはボリュームを上げるもしくは下げることができる。
【０００６】
国際特許公開第２００９００６８８９号は，トランスデューサのインピーダンスを計測することによって補聴器中のトランスデューサを識別する手段を備える補聴器を記載する。
【０００７】
欧州特許第１２７６３４９号は，どのパーツ（部品）がサービスを必要とするかを確立するために，補聴器の電子回路パーツまたは全機能について補聴器をテストする方法を記載する。
【発明の開示】
【０００８】
近年の補聴器はとても軽くかつ装着が快適であり，装着していることにユーザが気付かないこともある。このため，補聴器が耳ないし耳内における配置位置から脱落した場合に，補聴器の一つが失われたことにユーザが気付かないこともある。補聴器の配置（the placement）をよりよくモニタすること（to better monitor）が，この発明の特徴である。
【０００９】
この発明は，補聴器システムの欠陥（defective）または紛失（missing）部分を検出して，特にそのようなエラーを上記補聴器システムのユーザに知らせる，欠落ないし故障検出および通知システム（failure detection and notification system）を提供することを目的とする。
【００１０】
この発明の第１の観点において，上記目的は第１の補聴器および外部装置（external device）を含む補聴器システムを提供することによって達成され，各機器が上記第１の補聴器および上記外部装置間の短距離無線接続を確立するためのリンク手段を有しており，少なくとも上記第１の補聴器が，上記外部装置とのリンクがアクティブであるかどうかをモニタする手段，および上記リンクの状態（状況）または上記外部装置の状態に基づいて警告（アラート）を発生する警告手段を有している。
【００１１】
無線耳間接続（wireless inter-ear connection），すなわちユーザの左および右補聴器の間の接続を用いることで，上記無線接続を，対側の補聴器が反対側の耳もしくは耳内に配置されているかどうかを判断するために用いることができ，もしそうでない場合，ユーザが左または右補聴器を無くしてしまったか，またはそれが作動していないことについて，上記ユーザに対してアラームが与えられる。
【００１２】
上記無線耳間接続は，通常たとえばほんの０．５ｍの短距離（short range）で設計され，これは各耳に配置されている両補聴器の通信に十分である。一の補聴器が範囲外に動かされると（If a hearing aid is moved out of range）上記接続は解除される。
【００１３】
上記無線リンクを通して対側の補聴器と周期的（定期的）に通信することによって受信される通信（トラヒック）（traffic）を絶えずモニタしている間，上記反対側の補聴器へのアクティブ接続が存在しているかどうかを確かめることができる。長時間通信が断絶している場合，以下の状況の１つが生じたと考えられる。それは，反対側の補聴器の電池が切れて対側補聴器からの送信がないか，または反対側の補聴器が対側補聴器とアクティブな無線通信を保つことができる無線リンクにとってあまりに離れたところに位置しているかである。上記システムが，所定時間，たとえば10秒を超えて第２の補聴器への無線通信の消失を検出した場合，両方の補聴器は，電池がまだ残っていれば，上記反対側の補聴器の状況をチェックすることについて上記ユーザを警告することができる。一方の補聴器に電池が残っていない場合には，他方の補聴器によって上記ユーザを警告することができる。右側補聴器が左側補聴器の状況をチェックすることを上記ユーザに伝えることもあればその逆もある。両補聴器の一方が，電池切れのために電源オフされているまたは無線リンクが届く範囲に位置していずしたがってユーザの耳ないし耳内における正しい位置に配置されていないときに，上記ユーザは一の耳においてメッセージを聞くことができ，これによって，ユーザが反対側の耳の補聴器を無くしたこと，または反対側の補聴器の電池が切れたことが警告される。
【００１４】
両補聴器が電源オンされた後，上記無線リンクが接続を初期的に確立できるようになる前において，２つの補聴器間の未接続についてのアラームをユーザが受取ってしまうことがないようにするために，好ましくは，上記システムは，上記無線リンクがアクティブであるかどうかに関する上記モニタリングを開始する前に，しばらくの間アクティブ接続をログしなければならない。
【００１５】
第２の観点において，この発明は，第１の補聴器および外部装置の間の短距離無線接続のリンクを確立し，上記外部機器への上記リンクがアクティブであるかどうかをモニタリングし，上記リンクの状態または上記外部装置の状態に基づいてアラームを発生する，第１の補聴器におけるアラームを発生する方法を提供する，
【００１６】
この発明の他の観点は従属請求項から明らかにされる。
【図面の簡単な説明】
【００１７】
【図１】この発明の実施態様による無線リンクに接続された両耳補聴器システムを示す。
【図２】この発明の第１の実施態様による検出ユニットのブロック図を示す。
【図３】この発明の第２の実施態様による検出ユニットのブロック図を示す。
【実施例】
【００１８】
以下，好ましい実施例および図面に基づいてこの発明をより詳細に説明する。
【００１９】
両補聴器のいずれか一方が電源投入された後，電源投入された補聴器は無線リンク上におけるその「パートナー」を見つけることをスタートし，反対側の補聴器への接続の確立を試みる。２つの補聴器間における接続が確立されると，第１のカウンタがスタートして上記接続がアクティブとなっている時間がログされる。上記接続が切断されると，所定時間長さの安定的な接続が既にログされたことが確認された後，第２のカウンタが始まる。上記第２のカウンタが所定カウントに到達する前に上記無線接続が再確立されると，上記第１のカウンタがリセットされて再スタートし，安定的接続があるかどうかがモニタされる。第２のカウンタがその所定カウントに到達するときまでに上記無線接続が再確立されなかった場合，アラームがトリガされる。このアラームはさまざまなやり方でもたらすことができる。補聴器によってユーザに与えられる話し言葉のメッセージ（spoken message）であってもよいし，補聴器上のＬＥＤの点滅または点灯であってもよいし，リモート・コントロール，または上記ユーザ，関係者（relative）もしくは介助者（attendant）を警告するのに便利な他の外部ユニットに送信されるアラームであってもよい。
【００２０】
図１は２つの補聴器１，１１を示しており，それぞれがマイクロフォン２，１２，信号処理装置３，１３，レシーバ４，１４，ダイオード６，１６，アンテナ５，１５および上記２つの補聴器を接続して両耳補聴器システムを形成する無線リンク２０を備えている。コントロール・ユニット３０を，両補聴器のそれぞれに無線リンク２１を通じて接続してもよい。一実施態様において，上記コントロール・ユニットは無線リンク２１を通して両補聴器間を接続するリレー・ステーション（交換局）として作動する。
【００２１】
図２は，反対側の補聴器へのアクティブ接続があるかどうかを検出するように構成され，アクティブ接続がもはや存在しない場合に補聴器のユーザにアラームを与えるように構成されたシステムを示している。このようなシステムはウォッチドッグ（watchdog）と呼ばれることもある。無線リンク・アクティビティ検出器（wireless link activity detector）１００がアクティブ無線接続があるかどうかを検出する。端子１０１が上記無線リンクに接続される。上記無線リンクが上記反対側の補聴器からのデータを受信する間，フリップ・フロップまたは同様の機器１０２からの出力１０４によって上記反対側の補聴器が存在していることが確認される。端子１０３は上記フリップ・フロップ１０２に対するブート入力（boot input）であり，電源投入後にフリップ・フロップ１０２の初期状態が正しいことが確保される。ブロック１１０はアラーム・ロジックである。アラーム・ロジック１１０からの出力１８０は，上記無線接続があらかじめ設定される時間の間アクティブでなかった（非アクティブであった）場合にユーザに対してアラームをトリガする。ボックス１１１はデッド・タイム・カウンタ（不動作時間カウンタ）（dead time counter）である。上記無線リンクが上記反対側の補聴器へのアクティブ接続を検出しなくなると，上記デッド・タイム・カウンタは端子１１２を通して受信されるクロック・サイクルのカウントをスタートする。回路１２０は上記デッド・タイム・カウンタ１１１をリセットするためのリセット回路であり上記リンクが見つかった瞬間のたびに作動する。比較器１１３はクロック・サイクル数を所定値と比較する。上記比較器１１３の所定値に達すると，比較器１１３は信号を決定ブロック１１５に送信し，決定ブロック１１５は出力状態を「反対側補聴器存在」（opposite hearing aid present）から「反対側補聴器不存在」（opposite hearing aid not present）に切り換える。
【００２２】
図３は，図２における上記無線リンク・アクティビティ検出器１００および上記アラーム・ロジック１１０を示している。さらに図３は接続欠落の前に（prior to the loss of connection），上記２つの補聴器間のアクティブ無線接続があったかどうか（whether there has been an active wireless connection）を検出する初期回路（initialization circuit）２００を示している。回路２００は，ライブ・タイム・カウンタ（live time counter）２０１および比較回路２０２を備え，上記無線リンクからの入力１０１，およびクロック端子１１２または上記カウンタ２０１へのデシメート・バージョンのクロック端子（a decimated version of the clock terminal）１１２を有している。同じようにして，ブート・ターミナル１０３を通じて上記ライブ・タイム・カウンタをリセットすることができる。これは，たとえば正しい初期状態を確保するためにスタート・アップ時に行われる。ブロック２０２は比較器であり，上記ライブ・タイムと所定時間長とを比較して上記リンク・アクティビティ検出器１００のスタートを遅らせる。
【００２３】
上記接続中におけるわずかな中断に起因してアラームがトリガされないようにすることを確保するために，上記システムは，上記無線リンクが長い時間「静止」していたことを判断（決定）するための（to determine when the wireless link has been ‘silent’ for too long）カウンタおよび比較器を含んでいる。アラームの前に許容されるデッド・タイムは適宜（as convenient）設定される。非常に短く設定すると上記リンクの偽りの中断時に（at spurious interruptions of the link）アラームのリスクを招くことがあり，非常に長く設定すると所望のアラームが遅れすぎてしまうことを意味する。適切な時間長としては10から20秒とすることができる。上記時間を決定するやり方の一つは，上記クロック・サイクルをカウントして，それを上記比較器中にプリセットされたクロック・サイクル数と比較することである。
【００２４】
２つの補聴器間の接続が断絶して特定時間内のうちに再確立されない場合，上記検出システムは，両方の補聴器上において，発光ダイオード（ＬＥＤ）の点灯をスタートさせたり，可聴メッセージを再生したり，または上記リモート・コントロールもしくは他の外部ユニットにアラームを送信したりすることができる。これにより，紛失した場合にユーザが補聴器を見つけることが手助けされる。一の補聴器の電池切れが原因で接続が断絶した場合には，電池によって未だ給電されている補聴器上だけで上記ＬＥＤが点灯する。電池切れの補聴器は上記ＬＥＤを点灯させないので，特に電池交換するために関係者または世話人による手助けを必要とする者にとって，どちらの補聴器が電池切れであるかを判断することが非常に手助けされる。３つのメッセージの後に話し言葉のメッセージは止まることがあるのに対して，上記ＬＥＤについては，上記接続が再確立されるまでの間，上記補聴器が使用できない間，または電池切れの間，点灯させ続けてもよい。上記ＬＥＤおよび／または可聴アラームの無効化は，５秒間のプログラム・スイッチの連続押下，または上記補聴器もしくはリモート・コントロールへの同様の入力によって行うことができる。
【００２５】
片方の耳にだけ補聴器を装着するユーザもおり，または上記アラーム機能を望まないユーザもいるので，上記システムをオン／オフできるようにすることが重要である。これは，好ましくは，オーディオロストによる初期フィッティング時に適切なフィッティング・ソフトウエアを用いて行なわれる。上記フィッティング・ソフトウエアは上記補聴器の上記機能を有効化または無効化するオプションを含む。さらに，メッセージが繰返される回数およびメッセージが繰返されるときの間隔を設定できるようにすべきである。上記メッセージの繰返しの頻度は一定でなくてもよい。上記メッセージを繰返すための望ましいやり方の一つは，最初の３回は上記メッセージを２分間隔で繰返すことである。４〜10回目のメッセージは10分間隔で繰返され，その後上記メッセージは30分間隔で繰返される。ユーザの希望にしたがって上記オーディオロストがこれらの設定を調整したにもかかわらず，ユーザが自分自身でこれらの設定をさらに管理できるようにしたいこともある。これは，補聴器ユーザに「ライト」バーション（‘light’ version）のフィッティング・ソフトウエアを与えることによって行うことができ，このソフトウエアにおいて，ユーザはこれらの設定を自宅で自分のＰＣ上で調整することができる。
【００２６】
補聴器の使用中にときおり生じる問題は，トランスデューサが部分的にまたは全体的に動作しなくなることである。これは上記トランスデューサが水や霧に晒されたことを原因にして生じることがある。故障（機能不全）が一旦検出されると上記トランスデューサを交換することができるかも知れないが，ユーザがほとんど聞き取ることができない軽い誤動作から重度の誤動作にゆっくりと進行することもあるので，この問題を識別することはユーザにとって必ずしも簡単であるとは限らない。数週間ないし数ヶ月に亘ってこれが発生した場合には，ユーザは自分自身の難聴が自然に進行しているためであると考えるかも知れない。しかしながら，このエラーは上記トランスデューサ内において電気的に判断することが可能である。国際特許公開第２００９００６８８９号は，耳内レシーバ・タイプ（ＲＩＴＥ）の補聴器において補聴器に取付けられているものが適切なレシーバであるかどうか特定する方法を教示している。同様にして，壊れているトランスデューサのインピーダンスは変化して，もはやそれが適切に動いていないことを示すことができる。上記第１の補聴器の上記レシーバが壊れているないし故障している場合，上記無線接続を介して上記第２の補聴器にメッセージを送ることができ，上記レシーバに関する問題を示しかつ上記問題を解決するために専門家の助力を求めることをユーザに知らせることができる。さらに欧州特許第１２７６３４９号は，補聴器自身が補聴器の部分（parts）または全機能をテストする方法を教示する。このようなテストは一の補聴器中においてトリガさせることができ，それぞれの補聴器によって欠陥をユーザにアラームすることができない場合には，反対側の補聴器においてアラームを発生させることができる。
【図１】
2013509012.tif 000003
【図２】
2013509012.tif 000004
【図３】
2013509012.tif 000005
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
第１の補聴器（１）および外部装置（１１，３０）を含み，各機器が上記第１の補聴器（１）および上記外部装置（１１，３０）の間で短距離無線リンク（２０，２１）を確立するリンク手段（５，１５）を有しており，上記第１の補聴器（１）および上記外部装置（１１，３０）の両方が上記外部装置へのリンク（２０，２１）がアクティブであるかどうかをモニタする手段を有している補聴器システム（１，１１，３０）において，
上記第１の補聴器（１）および上記外部装置（１１，３０）の両方が，上記外部装置への上記リンク上のモニタされたアクティブな通信があった期間の後における，上記リンク（２０，２１）上の規定された期間の無通信の検出に基づいて，警告を発生する手段（４，６，１２，１６）を有していることを特徴とする，
補聴器システム（１，１１，３０）。
【請求項２】
上記外部装置への上記リンク（２０，２１）がアクティブであるかどうかをモニタする手段が，
通信が始まったときからの経過クロック・サイクルをカウントする第１のタイマ（２０１）であって，第１の所定の時間間隔に達するまでアクティブ・リンク検出器（１００）のスタートを遅らせるように構成された第１の比較器（２０２）を有する第１のタイマ（２０１），
上記第１の比較器（２０２）によるトリッピングのときからの経過クロック・サイクルをカウントするように構成されたウォッチドッグ・タイマであって，第２の所定の間隔に達した場合を判断する第２の比較器（１１３）を有するウォッチドッグ・タイマ，および
上記第２の比較器によって上記所定の時間間隔に達したことを条件に警告を発生するアラーム・ロジックを備えている，
請求項１に記載のシステム。
【請求項３】
上記外部装置が自己テストを実行する手段，および上記自己テストの結果について上記第１の補聴器へ向けて上記リンク上にメッセージを送信する手段を備えている，
請求項１に記載のシステム。
【請求項４】
上記警告手段（４，１２）が可聴メッセージまたはトーンを発生するように構成されている，請求項１または２に記載のシステム。
【請求項５】
上記警告手段（６，１６）が視覚的インジケータを備えている，請求項１または２に記載のシステム。
【請求項６】
上記外部装置が第２の補聴器（１，１１）である，請求項１から５に記載のシステム。
【請求項７】
上記外部装置がリモート・コントロール（３０）である，請求項１から５に記載のシステム。
【請求項８】
第１の補聴器（１，１１）と外部装置（１，１１，３０）との間に短距離無線接続のためのリンク（２０，２１）を確立することを含む，補聴器システムにおける欠陥またはエラーをユーザに通知する方法であって，
通信が始まったときから第１のカウンタ（２０１）をスタートすることによって上記外部装置（１，１１，３０）への上記リンク（２０，２１）がアクティブであるかどうかをモニタリングし，
上記接続がアクティブでなくかつ上記第１のカウンタが設定値に既に到達している場合に第２のカウンタ（１１１）を起動し，
上記接続が再確立された場合に上記第２のカウンタ（１１１）をリセットし，
上記第２のカウンタ（１１１）が所定カウントに達した場合に少なくとも上記第１の補聴器において警告を発生することを特徴とする，
方法。
【請求項９】
上記外部装置（１，１１，３０）が第２の補聴器（１，１１）である，請求項８に記載の方法。
【請求項１０】
上記警告が，話し言葉のメッセージ，視覚的インジケータ，または外部ユニット（１，１１，３０）へ送信されるメッセージである，請求項８に記載の方法。
【請求項１１】
上記外部装置がリモート・コントロール（３０）である，請求項８に記載の方法。
【手続補正書】
【提出日】平成24年4月17日(2012.4.17)
【手続補正１】
【補正対象書類名】図面
【補正対象項目名】図１
【補正方法】変更
【補正の内容】
【図１】
2013509012.tif 000006
【国際調査報告】
2013509012.tif 000007
2013509012.tif 000008
2013509012.tif 000009